(57)【要約】【課題】複数のバンド駒どうしの連結部における連結用ピンの位置決めを容易に、且つ、適正に行う。【解決手段】時計バンド１００を構成する第一のバンド駒１Ａに形成された凹型連結部１２に、第二のバンド駒１Ｂに形成された凸型連結部１１が挿入され、凸型連結部に形成された第一の貫通孔１１ａと、凹型連結部に形成された二つの第二の貫通孔１２ａとに挿通される連結用ピン３と、第一の貫通孔に挿入可能に、且つ、連結用ピンを内挿可能に構成されたコイルスプリング２とから構成されるバンドの連結構造において、連結用ピンが第一のピン部３１側から大径貫通孔ａ１、第一の貫通孔内に挿入されたコイルスプリング、小径貫通孔ａ２の順に挿通されることで、小径貫通孔を有する凹型連結部の内面１２ｂに、第二のピン部３２が突き当たって連結用ピンが位置決めされるように構成される。【選択図】        図１
2004357890.tif 000002
【特許請求の範囲】
【請求項１】
バンドを構成する複数のバンド駒のうち、第一のバンド駒に形成された凹型連結部に、前記第一のバンド駒に隣り合う第二のバンド駒に形成された凸型連結部が挿入され、前記凸型連結部に形成された第一の貫通孔と、前記第一の貫通孔と略同軸上となる位置にて当該第一の貫通孔を挟むように、前記凹型連結部に形成された二つの第二の貫通孔とに挿通される連結用ピンと、前記第一の貫通孔に挿入可能に、且つ、前記連結用ピンを内挿可能に構成されたコイルスプリングとから構成されるバンドの連結構造において、
前記二つの第二の貫通孔のうち、一方の第二の貫通孔は、他方の第二の貫通孔よりも小径とされ、
前記連結用ピンには、端部側に前記一方の第二の貫通孔よりも小径な第一のピン部と、前記第一のピン部よりも中央側に前記他方の第二の貫通孔の内径よりも小さく、且つ、前記一方の第二の貫通孔の内径よりも大きい外径を有する第二のピン部とが設けられ、
前記第一のバンド駒及び前記第二のバンド駒の連結の際に、前記連結用ピンが前記第一のピン部側から前記他方の第二の貫通孔、前記第一の貫通孔内に挿入された前記コイルスプリング、前記一方の第二の貫通孔の順に挿通されることで、前記一方の第二の貫通孔を有する前記凹型連結部の内面に前記第二のピン部が突き当たって前記連結用ピンが位置決めされるように構成されていることを特徴とするバンドの連結構造。
【請求項２】
バンドを構成する複数のバンド駒のうち、第一のバンド駒に形成された凹型連結部に、前記第一のバンド駒に隣り合う第二のバンド駒に形成された凸型連結部が挿入され、前記凸型連結部に形成された第一の貫通孔と、前記第一の貫通孔と略同軸上となる位置にて当該第一の貫通孔を挟むように、前記凹型連結部に形成された二つの第二の貫通孔とに挿通される連結用ピンと、前記第一の貫通孔に挿入可能に、且つ、前記連結用ピンを内挿可能に構成されたコイルスプリングとから構成されるバンドの連結構造において、
前記二つの第二の貫通孔のうち、一方の第二の貫通孔は、他方の第二の貫通孔よりも小径とされ、
前記連結用ピンには、両端部に前記一方の第二の貫通孔よりも小径な第一のピン部と、前記第一のピン部よりも中央側に前記他方の第二の貫通孔の内径よりも小さく、且つ、前記一方の第二の貫通孔の内径よりも大きい外径を有する第二のピン部とが設けられ、
前記第一のバンド駒及び前記第二のバンド駒の連結の際に、前記連結用ピンが前記第一のピン部側から前記他方の第二の貫通孔、前記第一の貫通孔内に挿入された前記コイルスプリング、前記一方の第二の貫通孔の順に挿通されることで、前記一方の第二の貫通孔を有する前記凹型連結部の内面に前記第二のピン部が突き当たって前記連結用ピンが位置決めされるように構成されていることを特徴とするバンドの連結構造。
【請求項３】
隣り合う二つのバンド駒における前記一方の第二の貫通孔及び前記他方の第二の貫通孔は、互い違いに配設され、
前記二つの隣り合うバンド駒に対する前記連結用ピンの挿通方向は、互いに略逆方向とされていることを特徴とする請求項２に記載のバンドの連結構造。
【請求項４】
バンドを構成する複数のバンド駒のうち、第一のバンド駒に形成された凹型連結部に、前記第一のバンド駒に隣り合う第二のバンド駒に形成された凸型連結部が挿入され、前記凸型連結部に形成された第一の貫通孔と、前記第一の貫通孔と略同軸上となる位置にて当該第一の貫通孔を挟むように、前記凹型連結部に形成された二つの第二の貫通孔とに挿通される連結用ピンと、前記第一の貫通孔に挿入可能に、且つ、前記連結用ピンを内挿可能に構成されたコイルスプリングとから構成されるバンドの連結構造において、
前記連結用ピンは、ピン軸部と、前記ピン軸部よりも大径とされたピン頭部とを有し、
前記二つの第二の貫通孔のうち、一方の第二の貫通孔には、前記ピン頭部が係合可能なピン受部が形成され、
前記第一のバンド駒及び前記第二のバンド駒の連結の際に、前記連結用ピンが前記ピン軸部側から前記一方の第二の貫通孔、前記第一の貫通孔内に挿入された前記コイルスプリング、前記二つの第二の貫通孔のうちの他方の第二の貫通孔の順に挿通されることで、前記ピン受部に前記ピン頭部が係合して前記連結用ピンが位置決めされるように構成されていることを特徴とするバンドの連結構造。
【請求項５】
前記コイルスプリングには、内径が他の部分の内径よりも小さくされた小径スプリング部が複数設けられ、
前記連結用ピンには、前記小径スプリング部の各々の位置に対応して、前記小径スプリング部を係合する凹部が複数設けられていることを特徴とする請求項１〜４の何れか一項に記載のバンドの連結構造。
【発明の詳細な説明】
【０００１】
【発明の属する技術分野】
本発明は、バンドの連結構造に関する。
【０００２】
【従来の技術】
従来、例えば、バンドとしての時計バンドには、長手方向に沿って連結された複数のバンド駒から構成されたものがある。具体的には、各バンド駒は、例えば、第一の貫通孔が形成された凸型連結部と、凸型連結部に対して当該バンド駒本体の反対側の端部に形成されるとともに、連結される隣りのバンド駒の凸型連結部を挿入可能で、且つ、隣りのバンド駒の第一の貫通孔と同軸上となる位置にて第一の貫通孔を挟むように形成された二つの第二の貫通孔を有する凹型連結部が設けられている。そして、上記のような構成のバンド駒のうち、第一のバンド駒の第一の貫通孔にコイルスプリングを挿入した後、当該第一のバンド駒の凸型連結部を第二のバンド駒の凹型連結部に挿入し、同軸上に配置された第一の貫通孔及び第二の貫通孔に連結用ピンを挿通させることで、第一のバンド駒と第二のバンド駒とが連結されている（例えば、特許文献１参照。）。
【０００３】
【特許文献１】
特開２０００−２９６００７号公報
【０００４】
【発明が解決しようとする課題】
ところで、バンド駒の数を増減させて上記時計バンド等のバンドの長さ調節等を行う場合には、連結用ピンの挿脱を行うようになっているが、連結用ピンは、バンド駒どうしの連結強度を高めたり、時計バンドの側面側からの見栄えを良くするために、第一の貫通孔及び第二の貫通孔の所定位置に配設される必要がある。具体的には、第一の貫通孔及び第二の貫通孔に挿通された連結用ピンの両端部から第二の貫通孔の当該時計バンドにおける外側の開口端までの距離が略等しくなるように、連結用ピンが位置決めされるのが好ましい。
そこで、上記特許文献１等に記載された連結用ピンの第一の貫通孔及び第二の貫通孔に対する挿通に際して、連結用ピンの位置決め用の所定の治具を用いて連結用ピンの配設位置の調整を行う必要があり、その作業が煩雑となっていた。
【０００５】
本発明の課題は、複数のバンド駒どうしの連結部における連結用ピンの位置決めを容易に、且つ、適正に行うことができるバンドの連結構造を提供することである。
【０００６】
【課題を解決するための手段】
請求項１に記載の発明は、例えば、図１〜図４に示すように、
バンド（例えば、時計バンド１００等）を構成する複数のバンド駒（１）のうち、第一のバンド駒（１Ａ）に形成された凹型連結部（１２）に、前記第一のバンド駒に隣り合う第二のバンド駒（１Ｂ）に形成された凸型連結部（１１）が挿入され、前記凸型連結部に形成された第一の貫通孔（１１ａ）と、前記第一の貫通孔と略同軸上となる位置にて当該第一の貫通孔を挟むように、前記凹型連結部に形成された二つの第二の貫通孔（１２ａ）とに挿通される連結用ピン３と、前記第一の貫通孔に挿入可能に、且つ、前記連結用ピンを内挿可能に構成されたコイルスプリング（２）とから構成されるバンドの連結構造において、
前記二つの第二の貫通孔のうち、一方の第二の貫通孔（例えば、小径貫通孔ａ２等）は、他方の第二の貫通孔（例えば、大径貫通孔ａ１等）よりも小径とされ、
前記連結用ピンには、端部側に前記一方の第二の貫通孔よりも小径な第一のピン部（３１）と、前記第一のピン部よりも中央側に前記他方の第二の貫通孔の内径よりも小さく、且つ、前記一方の第二の貫通孔の内径よりも大きい外径を有する第二のピン部（３２）とが設けられ、
前記第一のバンド駒及び前記第二のバンド駒の連結の際に、前記連結用ピンが前記第一のピン部側から前記他方の第二の貫通孔、前記第一の貫通孔内に挿入された前記コイルスプリング、前記一方の第二の貫通孔の順に挿通されることで、前記一方の第二の貫通孔を有する前記凹型連結部の内面（１２ｂ）に前記第二のピン部が突き当たって前記連結用ピンが位置決めされるように構成されていることを特徴としている。
【０００７】
請求項１に記載の発明によれば、他方の第二の貫通孔、第一の貫通孔内のコイルスプリング、一方の第二の貫通孔に対して第一のピン部側から挿通された連結用ピンは、第二のピン部が一方の第二の貫通孔を有する凹型連結部の内面に突き当たって位置決めされるので、例えば、バンド駒の数を増減させてバンドの長さ調節等を行う場合において、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
【０００８】
請求項２に記載の発明は、例えば、図６及び図７に示すように、
バンド（例えば、時計バンド２００等）を構成する複数のバンド駒（２０１）のうち、第一のバンド駒（２０１Ａ）に形成された凹型連結部（１２）に、前記第一のバンド駒に隣り合う第二のバンド駒（２０１Ｂ）に形成された凸型連結部（１１）が挿入され、前記凸型連結部に形成された第一の貫通孔（１１ａ）と、前記第一の貫通孔と略同軸上となる位置にて当該第一の貫通孔を挟むように、前記凹型連結部に形成された二つの第二の貫通孔（１２ａ）とに挿通される連結用ピン（２０３）と、前記第一の貫通孔に挿入可能に、且つ、前記連結用ピンを内挿可能に構成されたコイルスプリング（２０３）とから構成されるバンドの連結構造において、
前記二つの第二の貫通孔のうち、一方の第二の貫通孔（例えば、小径貫通孔ａ２等）は、他方の第二の貫通孔（例えば、大径貫通孔ａ１等）よりも小径とされ、
前記連結用ピンには、両端部に前記一方の第二の貫通孔よりも小径な第一のピン部（３１）と、前記第一のピン部よりも中央側に前記他方の第二の貫通孔の内径よりも小さく、且つ、前記一方の第二の貫通孔の内径よりも大きい外径を有する第二のピン部（３２）とが設けられ、
前記第一のバンド駒及び前記第二のバンド駒の連結の際に、前記連結用ピンが前記第一のピン部側から前記他方の第二の貫通孔、前記第一の貫通孔内に挿入された前記コイルスプリング、前記一方の第二の貫通孔の順に挿通されることで、前記一方の第二の貫通孔を有する前記凹型連結部の内面（１２ｂ）に前記第二のピン部が突き当たって前記連結用ピンが位置決めされるように構成されていることを特徴としている。
【０００９】
請求項２に記載の発明によれば、他方の第二の貫通孔、第一の貫通孔内のコイルスプリング、一方の第二の貫通孔に対して第一のピン部側から挿通された連結用ピンは、第二のピン部が一方の第二の貫通孔を有する凹型連結部の内面に突き当たって位置決めされるので、例えば、バンド駒の数を増減させてバンドの長さ調節等を行う場合において、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
また、第一の貫通孔内のコイルスプリング、二つの第二の貫通孔に対する連結用ピンの挿通を、当該連結用ピンの何れの端部側からでも行うことができる。
【００１０】
請求項３に記載の発明は、例えば、図６に示すように、請求項２に記載のバンドの連結構造において、
隣り合う二つのバンド駒における前記一方の第二の貫通孔及び前記他方の第二の貫通孔は、互い違いに配設され、
前記二つの隣り合うバンド駒に対する前記連結用ピンの挿通方向（Ｙ）は、互いに略逆方向とされていることを特徴としている。
【００１１】
請求項３に記載の発明によれば、請求項２に記載の発明と同様の効果が得られるのは無論のこと、特に、隣り合う二つのバンド駒における一方の第二の貫通孔及び他方の第二の貫通孔は、互い違いに配設され、二つの隣り合うバンド駒に対して連結用ピンが互いに略逆方向に挿通されるので、他方の第二の貫通孔内に小径の第一のピン部が配置された状態となる箇所がバンドの両端部側に互い違いに配設されることとなる。即ち、第一のピン部が他方の第二の貫通孔内に配置された箇所がバンドの一方の端部に偏って配置されることがなくなって、第一のピン部の動きの自由度がバンドの幅方向両端部でほぼ均等にすることができ、バンド駒の連結をバランスの良いものとすることができる。
【００１２】
請求項４に記載の発明は、例えば、図８及び図９に示すように、
バンド（例えば、時計バンド３００等）を構成する複数のバンド駒（３０１）のうち、第一のバンド駒（３０１Ａ）に形成された凹型連結部（１２）に、前記第一のバンド駒に隣り合う第二のバンド駒（３０１Ｂ）に形成された凸型連結部（１１）が挿入され、前記凸型連結部に形成された第一の貫通孔（１１ａ）と、前記第一の貫通孔と略同軸上となる位置にて当該第一の貫通孔を挟むように、前記凹型連結部に形成された二つの第二の貫通孔（１２ａ）とに挿通される連結用ピン（３０３）と、前記第一の貫通孔に挿入可能に、且つ、前記連結用ピンを内挿可能に構成されたコイルスプリング（３０２）とから構成されるバンドの連結構造において、
前記連結用ピンは、ピン軸部（３３１）と、前記ピン軸部よりも大径とされたピン頭部（３３２）とを有し、
前記二つの第二の貫通孔のうち、一方の第二の貫通孔（例えば、ピン頭部用貫通孔ａ４等）には、前記ピン頭部が係合可能なピン受部（３１４）が形成され、
前記第一のバンド駒及び前記第二のバンド駒の連結の際に、前記連結用ピンが前記ピン軸部側から前記一方の第二の貫通孔、前記第一の貫通孔内に挿入された前記コイルスプリング、前記二つの第二の貫通孔のうちの他方の第二の貫通孔（例えば、ピン軸部用貫通孔ａ３等）の順に挿通されることで、前記ピン受部に前記ピン頭部が係合して前記連結用ピンが位置決めされるように構成されていることを特徴としている。
【００１３】
請求項４に記載の発明によれば、一方の第二の貫通孔、第一の貫通孔内に挿入されたコイルスプリング、他方の第二の貫通孔に対してピン軸部側から挿通された連結用ピンは、ピン頭部が一方の第二の貫通孔のピン受部に係合して位置決めされるので、例えば、バンド駒の数を増減させてバンドの長さ調節等を行う場合において、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
【００１４】
請求項５に記載の発明は、例えば、図３及び図４等に示すように、請求項１〜４の何れか一項に記載のバンドの連結構造において、
前記コイルスプリングには、内径が他の部分の内径よりも小さくされた小径スプリング部（２１）が複数設けられ、
前記連結用ピンには、前記小径スプリング部の各々の位置に対応して、前記小径スプリング部を係合する凹部（例えば、第一の凹部３３ａ、第二の凹部３３ｂ等）が複数設けられていることを特徴としている。
【００１５】
請求項５に記載の発明によれば、請求項１〜４に記載の発明と同様の効果が得られるのは無論のこと、特に、連結用ピンがコイルスプリングに内挿されることにより、コイルスプリングの複数の小径スプリングが連結用ピンの複数の凹部に係合することとなるので、コイルスプリングと連結用ピンとを固定するための係止力を複数箇所に分散させることができ、連結用ピンとコイルスプリングとの固定をより安定的なものとすることができる。
【００１６】
【発明の実施の形態】
［第一の実施の形態］
以下に、本発明について、図面を用いて具体的な態様を説明する。ただし、発明の範囲は、図示例に限定されない。
図１は、本発明に係るバンドの連結構造が適用された第一の実施の形態の時計バンドを示す正面図である。
【００１７】
本発明に係る時計バンドは、例えば、ムーブメントや電子モジュール等からなる時計本体部（図示略）を手首に装着するためのものである。
図１に示すように、時計バンド１００は、略同形状とされる複数のバンド駒１、…が凹凸構造をなして配置され、これらバンド駒１、…のうち、第一のバンド駒１Ａの凹型連結部１２に形成された二つの第二の貫通孔１２ａと、第一のバンド駒１Ａに隣り合う第二のバンド駒１Ｂの凸型連結部１１の第一の貫通孔１１ａ内に挿入されたコイルスプリング２とに連結用ピン３が挿通されて、複数のバンド駒１、…を連結する構造をなしている。
【００１８】
先ず、バンド駒１の構造について、図２を参照してさらに詳細に説明する。ここで、図２は、バンド駒１を示す正面断面図である。
図２に示すように、バンド駒１の各々は、一端部側（例えば、図２における上端部側）に凸型連結部１１が形成され、この凸型連結部１１に対して当該バンド駒本体の逆の端部側（例えば、図２における下端部側）に凹型連結部１２が形成されている。
【００１９】
凸型連結部１１には、バンド駒１の幅方向Ｘに貫通する第一の貫通孔１１ａが所定位置に形成されている。
第一の貫通孔１１ａは、例えば、断面が略円形状に形成されており、その内径がコイルスプリング２の外径と略等しいか、又は、その外径よりもわずかに大きい寸法とされている。即ち、第一の貫通孔１１ａ内に、コイルスプリング２を挿入可能となっている。
【００２０】
凹型連結部１２は、凸型連結部１１に連続して形成され、この凸型連結部１１の幅よりも大きい幅を有する基部１２１と、基部１２１のバンド駒１の幅方向Ｘ側の両端部から、この幅方向Ｘに直交する方向に延出した二つの延出部１２２ａ、１２２ｂとを備えており、これら二つの延出部１２２ａ、１２２ｂと基部１２１によって、凹型空間１２３が形成されている。
凹型空間１２３は、凸型連結部１１の幅よりもわずかに大きい幅を有し、凸型連結部１１を当該凹型空間１２３内に挿入可能とされている。
【００２１】
延出部１２２ａ、１２２ｂには、当該凹型空間１２３に挿入された凸型連結部１１の第一の貫通孔１１ａと略同軸上となる位置に、当該第一の貫通孔１１ａを挟むように第二の貫通孔１２ａが形成されている。
これら第二の貫通孔１２ａは、具体的には、一方の延出部１２２ａを幅方向Ｘに貫通する大径貫通孔（他方の第二の貫通孔）ａ１と、他方の延出部１２２ｂを幅方向Ｘに貫通する小径貫通孔（一方の第二の貫通孔）ａ２とから構成されている。
大径貫通孔ａ１及び小径貫通孔ａ２は、例えば、断面が略円形状に形成されており、大径貫通孔ａ１及び小径貫通孔ａ２の長さが略等しく、且つ、小径貫通孔ａ２の内径が、大径貫通孔ａ１の内径よりも小さい寸法とされている。
【００２２】
次に、コイルスプリング２の構造について、図３を参照してさらに詳細に説明する。ここで、図３は、コイルスプリング２を示す正面断面図である。
図３に示すように、コイルスプリング２は、略円筒状に形成された部材であり、その長手方向の長さが凹型連結部１２の二つの延出部１２２ａ、１２２ｂ間の距離と略等しくなっている。これにより、バンド駒１どうしの連結の際に、コイルスプリング２が第二のバンド駒１Ｂの第一の貫通孔１１ａに挿入された状態で、当該第二のバンド駒１Ｂの凸型連結部１１が第一のバンド駒１Ａの凹型連結部１２内に挿入されることで、凹型連結部１２ａの延出部１２２ａ、１２２ｂ間にて、コイルスプリング２の幅方向Ｘの移動が拘束されて位置決めされるようになっている。
また、コイルスプリング２は、当該コイルスプリング２を長手方向に略３等分する位置に、内径が他の部分の内径よりも小さくされた小径スプリング部２１が二つ設けられている。
小径スプリング部２１の幅、即ち、当該コイルスプリング２の長手方向と同方向における長さは、例えば、コイルスプリング２を構成するコイルを２回巻いた部分の幅と略等しくなっている。
【００２３】
次に、連結用ピン３の構造について、図４を参照してさらに詳細に説明する。ここで、図４は、連結用ピン３を示す正面断面図である。
図４に示すように、連結用ピン３は、その挿通方向Ｙの端部側に形成された第一のピン部３１と、この第一のピン部３１における挿通方向Ｙと反対側の端部に連続する第二のピン部３２と、この第二のピン部３２における挿通方向Ｙと反対側の端部に連続する第一の凹部３３ａと、この第一の凹部３３ａにおける挿通方向Ｙと反対側の端部に連続する中ピン部３４と、この中ピン部３４における挿通方向Ｙと反対側の端部に連続する第二の凹部３３ｂと、この第二の凹部３３ｂにおける挿通方向Ｙと反対側の端部に連続する端ピン部３５とを備えている。
また、連結用ピン３は、第一のピン部３１、第二のピン部３２、第一の凹部３３ａ、中ピン部３４、第二の凹部３３ｂ及び端ピン部３５の各々の中心軸が略同一軸上に位置するように設けられており、凹型連結部１２の幅よりもわずかに短い長さ寸法とされている。
【００２４】
第一のピン部３１は、略円柱状に形成されており、その外径が小径貫通孔ａ２の内径よりも小さく、且つ、当該第一のピン部３１の長さが小径貫通孔ａ２の長さよりも所定の長さだけ短い寸法とされている。
これにより、第一のピン部３１は、小径貫通孔ａ２に挿入可能に、且つ、小径貫通孔ａ２内に配置可能となっている。
【００２５】
また、第一のピン部３１の外径は、コイルスプリング２の最小の径を有する小径スプリング部２１の内径よりも小さい寸法とされている。さらに、第一のピン部３１における挿通方向Ｙの先端側の端部は、例えば、当該第一のピン部３１の外周面から所定の角度（例えば、１５°程度等）をもって軸心方向に傾斜した略円錐台状に形成されている。これにより、コイルスプリング２内に連結用ピン３が挿通される際に、第一のピン部３１がコイルスプリング２内にて引っかかり難くなって、連結用ピン３の挿通を容易なものとすることができる。また、コイルスプリング２内から連結用ピン３を抜く際に、押圧される第一のピン部３１における挿通方向Ｙの先端側の端面の面積が小さくされているので、連結用ピン３に対する押圧力の付与を効率的に行うことができることとなって、連結用ピン３の抜き取りを適正に行うことができる。
【００２６】
第二のピン部３２は、第一のピン部３１の挿通方向Ｙと反対側の端部から径方向外方に向かって、且つ、全周に亘って略同じ幅に形成された環状端面部３２１を有する略円柱状に形成されている。
また、第二のピン部３２の外径は、第一のピン部３１の外径及び小径貫通孔ａ２の内径よりも大きく、且つ、大径貫通孔ａ１の内径よりも小さい寸法とされている。
従って、大径貫通孔ａ１、第一の貫通孔１１ａ内に挿入されたコイルスプリング２、小径貫通孔ａ２に順番に連結用ピン３が挿通された際に、第二のピン部３２の環状端面部３２１が、凹型連結部１２の小径貫通孔ａ２を有する延出部１２２ｂの凹型空間１２３側の内面１２ｂに当接可能となっている。
【００２７】
また、第二のピン部３２の外径は、例えば、コイルスプリング２の小径スプリング部２１の内径よりも大きく、且つ、コイルスプリング２の小径スプリング部２１以外の部分の内径よりも小さい寸法とされているが、連結用ピン３がコイルスプリング２内に挿通される際に、小径スプリング部２１が拡径することにより、第二のピン部３２を挿通可能とされている。
【００２８】
第一の凹部３３ａは、コイルスプリング２に挿通された状態における連結用ピン３の二つの小径スプリング部２１のうちの一方の小径スプリング部２１ａに対応する位置にて、当該連結用ピン３の周方向に沿って第二のピン部３２の周面よりもわずかに凹むように形成されている。
また、第一の凹部３３ａの外周面部における外径は、第二のピン部３２の外径よりも小さく、且つ、小径スプリング部２１ａの内径よりも大きい寸法とされている。さらに、第一の凹部３３ａの幅、即ち、当該連結用ピン３の長手方向における長さは、例えば、小径スプリング部２１ａの幅と等しいか、又は、その幅よりもわずかに大きい寸法とされている。
これにより、コイルスプリング２内に連結用ピン３が挿通された際に、第一の凹部３３ａによって小径スプリング部２１ａが拡径され、この小径スプリング部２１ａが第一の凹部３３ａに係合した状態となる。このとき、第一の凹部３３ａが縮径しようとする小径スプリング部２１ａにより所定量の力で挟持された状態となり、さらに、第一の凹部３３ａを構成する第二のピン部３２側の環状の端面及び中ピン部３４側の環状の端面とによって、小径スプリング部２１ａの連結用ピン３の挿通方向Ｙに対する移動が規制されることとなる。
【００２９】
中ピン部３４は、第二のピン部３２の外径と略等しい外径を有する略円柱状に形成されている。
【００３０】
第二の凹部３３ｂは、コイルスプリング２に挿通された状態における連結用ピン３の二つの小径スプリング部２１のうちの他方の小径スプリング部２１ｂに対応する位置にて、当該連結用ピン２の周方向に沿って中ピン部３４の周面よりもわずかに凹むように形成されている。また、第二の凹部３３ｂの寸法は、第一の凹部３３ａの寸法と略等しくなっている。
これにより、コイルスプリング２内に連結用ピン３が挿通された際に、第一の凹部３３ａと同様に、第二の凹部３３ｂによって小径スプリング部２１ｂが拡径され、この小径スプリング部２１ｂが第二の凹部３３ｂに係合した状態となる。このとき、第二の凹部３３ｂが縮径しようとする小径スプリング部２１ｂにより所定量の力で挟持された状態となり、さらに、第二の凹部３３ｂの中ピン部３４側の環状の端面と端ピン部３５側の環状の端面とによって、小径スプリング部２１ｂの連結用ピン３の挿通方向Ｙに対する移動が規制されることとなる。
【００３１】
端ピン部３５は、第二のピン部３２及び中ピン部３４の外径と略等しい外径を有する略円柱状に形成されている。
また、端ピン部３５の先端部は、例えば、当該端ピン部３５の外周面から所定の角度（例えば、１５°程度）をもって軸心方向に傾斜した略円錐台状に形成されている。これにより、コイルスプリング２内に連結用ピン３を挿通する際に、押圧される端ピン部３５の先端面の面積が小さくされているので、連結用ピン３に対する押圧力の付与を効率的に行うことができることとなって、連結用ピン３の挿通を適正に行うことができる。
【００３２】
また、上記構成の端ピン部３５の挿通方向Ｙと反対側の端部から第二のピン部３２の環状端面部３２１までの長さは、凹型連結部１２の小径貫通孔ａ２を有する延出部１２２ｂの凹型空間１２３側の内面１２ｂから大径貫通孔ａ１を有する延出部１２２ａの凹型空間１２３と反対側の外面１２ｃまでの長さよりも所定の長さだけ短い寸法とされている。具体的には、大径貫通孔ａ１、第一の貫通孔１１ａ内に挿入されたコイルスプリング２、小径貫通孔ａ２に連結用ピン３が挿通された状態において、端ピン部３５の挿通方向Ｙと反対側の端部から延出部１２２ａの凹型空間１２３と反対側の外面１２ｃまでの距離が、第一のピン部３１における挿通方向Ｙの先端側の端部から延出部１２２ｂの凹型空間１２３と反対側の外面１２ｄまでの距離と略等しくなる程度の長さとされている。
【００３３】
次に、連結用ピン３を用いたバンド駒どうし１Ａ、１Ｂの連結方法について説明する。
ここで、バンド駒どうし１Ａ、１Ｂの連結は、時計バンド１００の長さ調節において、バンド駒１を追加したり取り除いたりする際に行うものとする。
【００３４】
先ず、連結される第一のバンド駒１Ａと第二のバンド駒１Ｂのうち、第二のバンド駒１Ｂの凸型連結部１１の第一の貫通孔１１ａ内にコイルスプリング２を挿入する。
続けて、第一のバンド駒１Ａの凹型連結部１２内に第二のバンド駒１Ｂの凸型連結部１１を挿入して、凸型連結部１１の第一の貫通孔１１ａと凹型連結部１２の二つの第二の貫通孔１２ａとしての大径貫通孔ａ１及び小径貫通孔ａ２とが略同軸上に位置するように第一のバンド駒１Ａ及び第二のバンド駒１Ｂを保持する。
【００３５】
次に、大径貫通孔ａ１、第一の貫通孔１１ａ内のコイルスプリング２、小径貫通孔ａ２の順に、連結用ピン３を第一のピン部３１側から挿通させる。具体的には、連結用ピン３は、端ピン部３５の端面が、二つの小径スプリング部２１ａ、２１ｂにより付与される所定の係止力以上の押圧力で押圧されることで、コイルスプリング２内に挿通されて、第二のピン部３２の環状端面部３２１が小径貫通孔ａ２を有する延出部１２２ｂの凹型空間１２３側の内面１２ｂに当接する。これにより、小径スプリング部２１ａ、２１ｂの各々が第一の凹部３３ａ及び第二の凹部３３ｂに所定の係止力で係合した状態となってコイルスプリング２と連結用ピン３とが固定された状態となるとともに、連結用ピン３がバンド駒どうし１Ａ、１Ｂの連結部の所定位置に位置決めされた状態となる。
【００３６】
以上のように、第一の実施の形態の時計バンド１００によれば、コイルスプリング２の長手方向の長さが凹型連結部１２の二つの延出部１２２ａ、１２２ｂ間の長さに略等しくされているので、第一の貫通孔１１ａに挿入されたコイルスプリング２は、凹型連結部１２の二つの延出部１２２ａ、１２２ｂ間に位置決めされる。そして、位置決めされたコイルスプリング２内に連結用ピン３が挿通されることで、この連結用ピン３がバンド駒１どうしの連結部にて固定された状態となる。さらに、連結用ピン３の第二のピン部３２の環状端面部３２１を小径貫通孔ａ２を有する延出部１２２ｂの凹型空間１２３側の内面１２ｂに突き当てて当該連結用ピン３の位置決めを行うことができるので、バンド駒１の数を増減させて時計バンド１００の長さ調節等を行う場合において、バンド駒１どうしの連結部にて挿脱される連結用ピン３の配設位置の調整を位置決め用の所定の治具等を用いずに行うことができる。従って、連結用ピン３の位置決めを容易に、且つ、適正に行うことができる。
【００３７】
また、バンド駒１どうしの連結の際に、連結用ピン３がコイルスプリング２に内挿されることにより、コイルスプリング２の二つの小径スプリング２１ａ、２１ｂが連結用ピン３の二つの凹部３３ａ、３３ｂに係合するので、コイルスプリング２と連結用ピン３とを固定するための係止力を二箇所に分散させることができ、連結用ピン３とコイルスプリング２との固定をより安定的なものとすることができる。
さらに、二つの小径スプリング部２１ａ、２１ｂは、コイルスプリング２をその長手方向に略３等分する位置に設けられているので、コイルスプリング２と連結用ピン３とを固定するための係止力を効率的に連結用ピン３に対して作用させることができ、連結用ピン３とコイルスプリング２との固定をさらに安定的なものとすることができる。
【００３８】
＜コイルスプリング及び連結用ピンの変形例＞
この変形例では、図５に示すように、小径スプリング部１２１の幅が、例えば、コイルを６回巻いた部分の幅と略等しくなっている一方で、連結用ピン１０３の凹部１３３ａの幅が、例えば、小径スプリング部１２１の幅と等しいか、又は、その幅よりもわずかに大きい寸法とされている。即ち、小径スプリング部１２１及び凹部１３３ａの幅は、コイルスプリング１０２と連結用ピン１０３との固定の強度に応じて適宜任意に変更可能となっている。
また、コイルスプリング１０２と連結用ピン１０３との固定の強度の調節は、小径スプリング部１２２の内径や凹部１３３ａの外径を変更することで対応しても良い。
【００３９】
なお、上記実施の形態の時計バンド１００にあっては、連結用ピン３（１０３）の挿通方向Ｙをユーザが間違うことの防止を目的とする場合、バンド駒１の所定位置、例えば時計バンド１００の手首側となる面等に、連結用ピン３の挿通方向Ｙを示す矢印表示等を設けても良いし、また、連結用ピン３の所定位置、例えば端ピン部３５等を所定の色でマークして当該連結用ピン３の持ち手側を示すようにしても良い。また、これらを両方とも適用しても良いことは勿論である。
【００４０】
［第二の実施の形態］
以下に、第二の実施の形態の腕時計について図６及び図７を参照して説明する。
ここで、図６は、本発明に係るバンドの連結構造が適用された第二の実施の形態の時計バンド２００を示す正面図であり、図７は、時計バンド２００を構成する連結用ピン２０３を示す正面断面図である。
なお、第二の実施の形態の時計バンド２００は、連結用ピン２０３及びバンド駒２０１の構成以外の点では上記第一の実施の形態と同様であるので、同様の構成には同一の符号を付してその説明を省略する。
【００４１】
図６に示すように、時計バンド２００は、二つの隣り合うバンド駒２０１に対する連結用ピン２０３の挿通方向Ｙが互いに略逆方向となっている。即ち、隣り合う二つのバンド駒２０１Ａ、２０１Ｂには、時計バンド２００の幅方向Ｘ側となる端部に小径貫通孔ａ２及び大径貫通孔ａ１が互い違いに配設されているとともに、図７に示すように、連結用ピン２０３には、その両端部の各々に第一のピン部３１が設けられ、第一のピン部３１よりも当該連結用ピン２０３の中央側に第二のピン部３２が各々設けられている。
【００４２】
以上のように、第二の実施の形態の時計バンド２００によれば、第一の貫通孔１１ａ内のコイルスプリング２、大径貫通孔ａ１及び小径貫通孔ａ２に対する連結用ピン２０３の挿通を、当該連結用ピン２０３の何れの端部側からでも行うことができる。
また、隣り合う二つのバンド駒２０１Ａ、２０１Ｂには、小径貫通孔ａ２及び大径貫通孔ａ１が互い違いに配設され、これらバンド駒２０１Ａ、２０１Ｂに対して連結用ピン３が互いに略逆方向に挿通されるので、大径貫通孔ａ１内に小径の第一のピン部３１が配置された状態となる箇所が時計バンド２００の幅方向Ｘ側の両端部に互い違いに配設されることとなる。即ち、第一のピン部３１が大径貫通孔ａ１内に配置された箇所が時計バンド２００の幅方向Ｘ側の一方の端部に偏って配置されることがなくなって、第一のピン部３１の動きの自由度が時計バンド２００の幅方向Ｘの両端部でほぼ均等にすることができ、バンド駒２０１の連結をバランスの良いものとすることができる。
【００４３】
なお、上記第一及び第二の実施の形態では、第一のピン部３１に連続させて第二のピン部３２を設けるようにしたが、これに限られるものではなく、第二のピン部３２は、少なくとも第一のピン部３１よりも連結用ピン３の中央側に配設されていれば良い。
【００４４】
［第三の実施の形態］
以下に、第三の実施の形態の腕時計について図８及び図９を参照して説明する。
ここで、図８は、本発明に係るバンドの連結構造が適用された第三の実施の形態の時計バンド３００を示す正面図であり、図９は、時計バンド３００を構成する連結用ピン３０３を示す正面断面図である。
なお、第三の実施の形態の時計バンド３００は、連結用ピン３０３及びバンド駒３０１の構成以外の点では上記第一の実施の形態及び第二の実施の形態と同様であるので、同様の構成には同一の符号を付してその説明を省略する。
【００４５】
図８に示すように、時計バンド３００は、複数のバンド駒３０１、…が、ピン軸部３３１よりも大径とされたピン頭部３３２を有する連結用ピン３０３を用いて連結されている。
即ち、連結用ピン３０３は、図９に示すように、コイルスプリング２の二つの小径スプリング部２１に対応する位置に二つの凹部３３ａ、３３ｂが形成された略円柱状のピン軸部３３１と、ピン軸部３３１の一方の端部、即ち、ピン軸部用貫通孔ａ３（後述）に挿通される先端部と反対側の端部に連続して形成された略円盤状のピン頭部３３２とを備えている。
なお、ピン軸部３３１及びピン頭部３３２の各々の先端部は、例えば、ピン軸部３３１及びピン頭部３３２の各々の外周面から所定の角度をもって軸心方向に傾斜した略円錐台状に形成されている。
【００４６】
バンド駒３０１は、連結用ピン３０３が挿通される二つの第二の貫通孔１２ａとして、二つの延出部３１１、３１２のうち、連結用ピン３０３の挿通方向Ｙの先端側となる延出部３１１に形成されたピン軸部用貫通孔ａ３と、連結用ピン３０３の挿通方向Ｙと反対側となる延出部３１２に形成されたピン頭部用貫通孔ａ４とが形成されている。
ピン軸部用貫通孔ａ３は、延出部３１１を幅方向Ｘに貫通して略円筒状に形成されており、その内径は、ピン軸部３３１の外径よりも大きい寸法とされている。
ピン頭部用貫通孔ａ４は、延出部３１２の凹型空間１２３側の内面から当該延出部３１２を幅方向Ｘに貫通して、ピン軸部用貫通孔ａ３と略等しい内径を有する略円柱状に形成された貫通孔部３１３と、貫通孔部３１３の凹型空間１２３と反対側の端部に連続して、ピン頭部３３２が係合可能に形成されたピン受部３１４とを備えている。
【００４７】
ピン受部３１４の内径は、ピン頭部３３２の外径よりも大きい寸法とされている。また、ピン受部３１４の深さは、ピン頭部３３２の厚さよりも大きい寸法とされている。具体的に、ピン受部３１４の深さは、ピン頭部用貫通孔ａ４、第一の貫通孔１１ａ内に挿入されたコイルスプリング２、ピン軸部用貫通孔ａ３に連結用ピン３０３が挿通された状態において、ピン頭部３３２における挿通方向Ｙと反対側の端面から延出部３１２の凹型空間１２３と反対側の外面１２ｅまでの距離と、ピン軸部３３１における挿通方向Ｙの先端側の端面から延出部３１１の凹型空間１２３と反対側の外面１２ｆまでの距離とが略等しくなる程度の深さとされている。
【００４８】
従って、バンド駒どうし３０１Ａ、３０１Ｂの連結の際に、連結用ピン３０３がピン軸部３３１側からピン頭部用貫通孔ａ４、第一の貫通孔１１ａ内に配されたコイルスプリング２、ピン軸部用貫通孔ａ３の順に挿通されることで、ピン頭部３３２のピン軸部３３１側に形成された環状の端面部３３２ａがピン受部３１４の貫通孔部３１３側の環状の端面部３１４ａに当接して、連結用ピン３０３がバンド駒どうし３０１Ａ、３０１Ｂの連結部の所定位置に位置決めされた状態となる。
【００４９】
以上のように、第三の実施の形態の時計バンド３００によれば、ピン頭部３３２の環状の端面部３３２ａをピン受部３１４の環状の端面部３１４ａに当接させることによりピン受部３１４にピン頭部３３２が係合して連結用ピン３０３の位置決めを行うことができるので、バンド駒３０１の数を増減させて時計バンド３００の長さ調節等を行う場合において、バンド駒３０１どうしの連結部にて挿脱される連結用ピン３０３の配設位置の調整を位置決め用の所定の治具等を用いずに行うことができる。従って、連結用ピン３０３の位置決めを容易に、且つ、適正に行うことができる。
【００５０】
なお、本発明は、上記第一〜第三の実施の形態に限定されることなく、本発明の趣旨を逸脱しない範囲において、種々の改良並びに設計の変更を行っても良い。
例えば、上記第一〜第三の実施の形態では、コイルスプリング２（１０２）に小径スプリング部２１（１２１）を二つ設け、連結用ピン３（１０３、２０３、３０３）に凹部３３を二つ設けるようにしたが、これに限られるものではなく、コイルスプリング２と連結用ピン３との固定、即ち、バンド駒１どうしの連結を安定的に行うことができる範囲内において、小径スプリング部２１及び凹部３３の数は適宜任意に変更可能となっている。
また、小径スプリング部２１及び凹部３３の位置を適宜任意に変更しても良いことは勿論である。
【００５１】
上記第一〜第三の実施の形態では、本発明に係るバンドの連結構造が適用された好適な一例として時計バンド１００（２００、３００）を示したが、これに限られるものではなく、バンド駒１（２０１、３０１）どうしが連結用ピン３（２０３、３０３）によって連結されてなる構造のものであれば如何なるバンドに適用しても良い。
【００５２】
【発明の効果】
請求項１に記載の発明によれば、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
【００５３】
請求項２に記載の発明によれば、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
また、第一の貫通孔内のコイルスプリング、二つの第二の貫通孔に対する連結用ピンの挿通を、当該連結用ピンの何れの端部側からでも行うことができる。
【００５４】
請求項３に記載の発明によれば、他方の第二の貫通孔内に小径の第一のピン部が配置された状態となる箇所がバンドの両端部側に互い違いに配設されることとなる。即ち、第一のピン部が他方の第二の貫通孔内に配置された箇所がバンドの一方の端部に偏って配置されることがなくなって、第一のピン部の動きの自由度がバンドの幅方向両端部でほぼ均等にすることができ、バンド駒の連結をバランスの良いものとすることができる。
【００５５】
請求項４に記載の発明によれば、バンド駒どうしの連結部にて挿脱される連結用ピンの配設位置の調整を位置決め用の所定の治具等を用いずに行うことができる。従って、連結用ピンの位置決めを容易に、且つ、適正に行うことができる。
【００５６】
請求項５に記載の発明によれば、コイルスプリングと連結用ピンとを固定するための係止力を複数箇所に分散させることができ、連結用ピンとコイルスプリングとの固定をより安定的なものとすることができる。
【図面の簡単な説明】
【図１】本発明に係るバンドの連結構造が適用された第一の実施の形態の時計バンドを示す正面図である。
【図２】図１の時計バンドを構成するバンド駒を示す正面断面図である。
【図３】図１の時計バンドを構成するコイルスプリングを示す正面断面図である。
【図４】図１の時計バンドを構成する連結用ピンを示す正面断面図である。
【図５】コイルスプリング及び連結用ピンの変形例を示す要部拡大断面図である。
【図６】本発明に係るバンドの連結構造が適用された第二の実施の形態の時計バンドを示す正面図である。
【図７】図６の時計バンドを構成する連結用ピンを示す正面断面図である。
【図８】本発明に係るバンドの連結構造が適用された第三の実施の形態の時計バンドを示す正面図である。
【図９】図８の時計バンドを構成する連結用ピンを示す正面断面図である。
【符号の説明】
１００、２００、３００  時計バンド
１、２０１、３０１  バンド駒
１Ａ、２０１Ａ、３０１Ａ  第一のバンド駒
１Ｂ、２０１Ｂ、３０１Ｂ  第二のバンド駒
１１          凸型連結部
１１ａ        第一の貫通孔
１２          凹型連結部
１２ａ        第二の貫通孔
１２ｂ        内面
ａ１          大径貫通孔（他方の第二の貫通孔）
ａ２          小径貫通孔（一方の第二の貫通孔）
ａ３          ピン軸部用貫通孔（第二の貫通孔）
ａ４          ピン頭部用貫通孔（第二の貫通孔）
２            コイルスプリング
２１、１２１  小径スプリング部
３、２０３、３０３  連結用ピン
３１          第一のピン部
３２          第二のピン部
３３ａ        第一の凹部（凹部）
３３ｂ        第二の凹部（凹部）
１３３ａ      凹部
３３１        ピン軸部
３３２        ピン頭部
Ｙ            挿通方向
【図１】
2004357890.tif 000003
【図２】
2004357890.tif 000004
【図３】
2004357890.tif 000005
【図４】
2004357890.tif 000006
【図５】
2004357890.tif 000007
【図６】
2004357890.tif 000008
【図７】
2004357890.tif 000009
【図８】
2004357890.tif 000010
【図９】
2004357890.tif 000011